(57)【特許請求の範囲】
【請求項１】
一個の光サーキュレータが一個の１×Ｎ合分波回路部の一入力ポートと接続され、１×Ｎ合分波回路部のＮ個の出力ポートがＮ個の平面型光導波回路の一入力ポートと接続され、前記平面型光導波回路は二本の入力導波路、二組の３ｄＢ合分波回路部、二本のアーム導波路部、アーム導波路部に具備される位相調整部及び二本の出力導波路よりなるマッハツェンダ干渉計型２×２スイッチ回路より構成され、更に、前記マッハツェンダ干渉計型２×２スイッチ回路の一方の入力導波路が入力ポートに接続され、且つ、一方の出力導波路に１×２分岐回路が配置され、他方の出力導波路の前段に１／４波長板が配置され後段に高反射ミラーが配置されることを特徴とする光処理回路。
【請求項２】
請求項１記載の光処理回路において、前記１×２光分岐回路が省略されることにより、前記一方の出力導波路が終端されていることを特徴とする光処理回路。
【請求項３】
請求項１記載の光処理回路において、前記１×Ｎ合分波回路部がアレー導波路型回折格子であることを特徴とする光処理回路。
【請求項４】
請求項３記載の光処理回路において、前記アレー導波路型回折格子と前記平面型光導波回路が一枚の基板に集積化されていることを特徴とする光処理回路。
【発明の詳細な説明】
【０００１】
【発明の属する技術分野】
本発明は光通信の分野に用いられる光処理回路に関するものである。詳しくは、波長分割多重通信における、ＯＡＤＭ（Ｏｐｔｉｃａｌ  Ａｄｄ／Ｄｒｏｐ  Ｍｕｘ）ノードを構成するための光スイッチ動作及び光減衰動作を行う光処理回路及び光増幅器で生じる波長多重信号光のレベルばらつきを調整し利得等化を行う光処理回路に関するものである。
【０００２】
【従来の技術】
大容量光通信網を構築する有力な手段として波長分割多重方式があり、近年、盛んに研究されている。
波長分割多重方式を取り入れたＯＡＤＭリングシステムは、トラフィック変動に対してパス構成を変更することで柔軟に対応でき、伝送路／端局装置の障害に対してリング構成のトポロジーを活かし簡略な方法で対処することができるという特徴を有する。
【０００３】
従来のＯＡＤＭリングシステムにおけるＯＡＤＭノードの構成概略を図３に示す。
このＯＡＤＭノードは、波長多重された信号光の増幅と抜き出しと追加の役割を有し、プリアンプ１９、光処理部Ｂ及びポストアンプ２４より構成される。
光処理部Ｂでは、信号光を分波し各波長の信号光のレベル調整または抜き出しと追加の処理を行い、信号処理された客波長の信号光を合波する機能を有し、１×Ｎ合分波器２０、アド／ドロップ用２×２スイッチ２１、光減衰器２２及び１×Ｎ合分波器２３により構成される。
【０００４】
従って、図中矢印で示すように、波長多重された信号光は入力用光ファイバ１８を伝搬し、プリアンプ１９で増幅された後、１×Ｎ合分波器２０により分波される。
通過動作の場合、分波されたそれぞれの信号光は２×２スイッチ２１のメインインプットポートＩＶからメインアウトプットポートＶを経由して光減衰器２２によりパワー調整され、１×Ｎ合分波器２５により他の波長の信号光と合波され、ポストアンプ２４で増幅された後、図中矢印で示すように、出力用光ファイバ２５により次のノードに伝搬する。
【０００５】
一方、アド／ドロップ動作の場合、１×Ｎ合分波器２０で分波された信号光はドロップ光として２×２スイッチ２１によりドロップポートＩＩＩに抜き出される。
さらに、２×２スイッチ２１を用いて新たに信号光を追加することが可能となり、アドポートＩＩより入力されたアド光はメインアウトプットポートＶに出力し光減衰器２２によりパワー調整された後、１×Ｎ合分波器２３、ポストアンプ２４を経て出力用光ファイバ２５により次のノードに伝搬する。
【０００６】
上記ＯＡＤＭノードを構成する光部品のうちプリアンプ１９及びポストアンプ２４として、Ｅｒ添加ファイバ光増幅器、１×Ｎ合分波器２０，２３としてアレー導波路型回折格子が主に用いられる。
このＯＡＤＭノードを構成する２×２スイッチ２１及び光減衰器２２は光増幅器の帯域確保の観点から挿入損失ができる限り小さいことが望ましい。
また、２×２スイッチ２１及び光減衰器２２は波長数の分だけ台数が必要なことから値段が安く、装置内に組み込むために小型である必要がある。
さらに、２×２スイッチ２１はアド／ドロップ動作において、ドロップ光がアド光に混入することによるアド光の伝送特性劣化を防ぐため、アド光に対しドロップ光が十分に消光している必要がある。
さらに、光減衰器２２は減衰量の偏波依存性が小さい必要がある。
従来、これらの条件を考慮して、２×２スイッチ２１として、石英系光導波路型スイッチ、自己保持式ファイバ型スイッチが、また、光減衰器２２として、ファラデー効果を用いたファイバ型光減衰器、石英系光導波路型光減衰器等が検討されている。
【０００７】
また、上記ＯＡＤＭノードには１×Ｎ合分波器２０，２３と光減衰器２２の組み合わせにより、波長多重された信号光のレベル調整処理の機能も有する。
レベル調整機能は、一般的に、光増幅器が波長多重光を増幅する場合各波長間でレベル偏差が発生するという問題点を抱えていることから、広く波長分割多重方式において、不可欠な要素である。
従来、図３に示したレベル調整の他、光増幅器の利得を等化する手段として、干渉型フィルタを組み合わせたバルク型の光部品があった。
【０００８】
【発明が解決しようとする課題】
しかしながら、従来のＯＡＤＭノード構成では、２台の１×Ｎ合分波器２０，２３を用いることから装置が大型化するという問題があった。
また、２×２スイッチ２１と光減衰器２２は波長数分の台数が必要なことから、従来の２×２スイッチ２１と光減衰器２２を光ファイバーで接続する形態では装置が大型であるという問題も抱えている。
【０００９】
装置小型化の一手段として、アレー導波路型回折格子による１×Ｎ合分波器、２×２スイッチ及び光減衰器を光導波路を用いて一枚の平面基板上に集積することが考えられるが、個々の回路の大きさから考えると一枚の基板上に配置することが困難である。
つまり、高消光比２×２スイッチ及び偏波無依存光減衰器を光導波路で構成するには、例えば、従来のマッハツェンダ干渉計回路を用いた透過型光導波回路で構成することが考えられるが、２×２スイッチとして消光比を得るために二段のマッハツェンダ干渉計回路が必要であり（Ｋ．  Ｏｋａｍｏｔｏ  ｅｔ  ａｌ，  ”１６−ｃｈａｎｎｅｌ  ｏｐｔｉｃａｌ  ａｄｄ／ｄｒｏｐ  ｍｕｌｔｉｐｌｅｘｅｒ  ｃｏｎｓｉｓｔｉｎｇ  ｏｆ  ａｒｒａｙｅｄ−ｗａｖｅｇｕｉｄｅ  ｇｒａｔｉｎｇｓ  ａｎｄ  ｄｏｕｂｌｅ  ｇａｔｅ  ｓｗｉｔｃｈｉｎｇｓ”，  Ｅｌｅｃｔｒｏｎ．  Ｌｅｔｔ．，  ｖｏｌ．３２，ｐｐ．１４７１，１９９６  ）、偏波無依存光減衰器として１／２波長板を有するマッハツェンダ干渉計回路を少なくとも一段必要となり（特開平７−９２３２６）、これらを縦列に接続すると３段以上のマッハツェンダ干渉計回路が必要となる。
【００１０】
従って、従来の光処理回路の組み合わせでＯＡＤＭノードの光処理部を集積化しようとすると、三段以上のマッハツェンダ干渉計回路Ｎ個と二段のアレー導波路型回折格子を縦列に接続することとなり、一枚の基板上に集積化することが困難となり、また、たとえ集積化できたとしても回路部が大きいため装置の小型化にあまり寄与することがなく、かつ、導波路長も長くなることから挿入損失が大きくなることは明かである。
【００１１】
従って、高消光比２×２スイッチ及び偏波無依存光減衰器は波長数に応じた個数用いられることから、小型化、集積化に適した高消光比スイッチ動作及び偏波無依存光減衰動作する光処理回路構成が必要であったが、小型化、集積化に最適な光処理回路構成はこれまで提案されていなかった。
【００１２】
また、利得等化機能に関しては、従来の利得等化器、例えばファブリペローエタロンを用いて減衰量を可変にするような光部品では、減衰量を可変にすることはできてもＦＳＲのもつ透過特性の周期性を回避することが困難である。
また、周期性を回避するためにはファブリペローエタロンの段数を増やす必要があり、歩留まりの低下、損失の増大を招いていた。
さらに、任意のスペクトル特性を可変に得ようとすると、複数枚のエタロンを複雑に制御する必要があり、現実的には、不可能に近い。
つまり、波長分割多重方式においては、複雑なスペクトルを有する波長多重信号光強度をフラットにする必要があることから、これを実現するには、分波された信号光をレベル調整して合波するという従来のＯＡＤＭノードの有するレベル調整機能が最適である。
従って、従来の利得等化器における問題点は、従来のＯＡＤＭノードにおけるレベル調整機能をいかに小型で低損失に構成するかという課題に帰着する。
【００１３】
本発明の目的は、以上に述べた事情を鑑み、ＯＡＤＭリングシステムに適合したアド／ドロップ機能と光減衰機能を兼ね備えた新たな光処理回路及び波長分割多重方式における光増幅器の利得等化機能を有する新たな光処理回路を提供することにある。
【００１４】
【課題を解決するための手段】
斯かる目的を達成する本発明の光処理回路は、一個の光サーキュレータが一個の１×Ｎ合分波回路部の一入力ポートと接続され、１×Ｎ合分波回路部のＮ個の出力ポートがＮ個の平面型光導波回路の一入力ポートと接続され、前記平面型光導波回路は二本の入力導波路、二組の３ｄＢ合分波回路部、二本のアーム導波路部、アーム導波路部に具備される位相調整部及び二本の出力導波路よりなるマッハツェンダ干渉計型２×２スイッチ回路より構成され、更に、前記マッハツェンダ干渉計型２×２スイッチ回路の一方の入力導波路が入力ポートに接続され、且つ、一方の出力導波路に１×２分岐回路が配置され、他方の出力導波路の前段に１／４波長板が配置され後段に高反射ミラーが配置されることを特徴とする。
【００１５】
〔作用〕
本発明の光処理回路は、反射型光回路を用いることから、従来１×Ｎ合分波器が２台必要であった構成が一台で構成でき、かつ、従来の２×２スイッチと光減衰器で複数段のマッハツェンダ干渉計回路を必要とした構成が一段のマッハツェンダ干渉計回路で構成できＯＡＤＭノードの小型化に著しい効果がある。
【００１６】
また、偏波無依存である反射型光回路に関しては、ＬｉＮｂＯ３スイッチを用いた報告がある（宮沢他「折り返し光導波路と反射型波長板を用いた低電圧・偏波無依存ＬＮスイッチ」、１９９５年電子情報通信学会エレクトロニクスソサイエティ大会、Ｃ１−１５１）。
つまり、本発明の光処理回路を通過動作における光減衰器として用いる場合、既報告と同様な原理で、反射により入射する信号光と出射する信号光の経路が同じとなり、かつ、１／４波長板を二回通過することで偏波が９０度回転することから、本質的に偏波依存性が解消される。
従って、この偏波無依存光減衰器を用いることで、各波長のレベル調整を任意に行うことができる。
【００１７】
さらに、アド／ドロップ動作において、マッハツェンダ干渉計をクロスステートに位相調整することにより、従来の回路例にない反射型ダブルゲートの高消光比スイッチとして動作する機能を有する。
【００１８】
つまり、本光処理回路の反射型マッハツェンダ干渉計は偏波無依存である光減衰機能と高消光化であるアド／ドロップスイッチ機能を合わせ持つ。
従って、消光比の高いスイッチ機能と偏波依存性のない光減衰機能を合わせ持ち、かつ、小型で損失の小さい光部品を実現するための、集積可能な新規の光処理回路となっている。
【００１９】
【発明の実施の形態】
以下に、本発明について、図面に示す実施例を参照して詳細に説明する。
【００２０】
〔実施例１〕
本発明の第１の実施例に係る光処理回路を図１に示す。
この光処理回路は、一個のサーキュレータ３と、一個の１×Ｎ合分波器４と、Ｎ個の平面型光導波回路（光処理回路）Ａとから構成される。
光サーキュレータ３は、入力用光ファイバ２を介してプリアンプ１と接続され、ポストアンプ１１を介して出力用光ファイバ１０に接続されると共に１×Ｎ合分波回路部４の一入力ポートに接続されている。
１×Ｎ合分波回路部４は、そのＮ個の出力ポートがＮ個の平面型光導波回路Ａの一入力ポートと接続されている。
平面型光導波回路Ａは、１／４波長板５、高反射ミラー６を具備するマッハツェンダ干渉計型２×２スイッチにより構成される反射型光回路である。
即ち、この平面型光導波回路Ａは、二本の入力導波路、二組の３ｄＢ合分波回路部、二本のアーム導波路部、アーム導波路部に具備される位相調整部ＳＷ１、二本の出力導波路よりなるマッハツェンダ干渉計型２×２スイッチ回路において、マッハツェンダ干渉計型２×２スイッチ回路の一方の入力導波路を入力ポートに接続し、一方の出力導波路に１×２光分岐回路７を配置し、他方の出力導波路の前段に１／４波長板５を配置し後段に高反射ミラー６を配置して構成されたものである。
【００２１】
上記構成を有する本実施例の光処理回路をＯＡＤＭリングシステムに用いる場合の動作を説明する。
信号光通過動作時においては、予め、平面型光導波回路Ａの位相調整機構ＳＷ１により位相を調整し、２×２スイッチの経路を入力導波路に向き合う出力導波路にパスがつながるスルーステートに固定する。
すると、図中に矢印で示すように、入力用光ファイバ２、プリアンプ１を通過しＮ波に多重された信号光はサーキュレータ３を通過し、１×Ｎ合分波器４に伝搬し、１×Ｎ合分波器４により分波された後、マッハツェンダ干渉計のＩ／ＯポートＩに入射し、スルーポートにある出力導波路に伝播し、後段に配置された高反射ミラー６により折り返されてスルーポートにあるＩ／ＯポートＩに戻る。
【００２２】
平面型光導波回路Ａによる通過動作で入射信号と同じ情報を有する反射信号光は１×Ｎ合分波器４により他の波長の信号光と合波され、サーキュレータ３を経て、ポストアンプ１１、出力用光ファイバ１０に伝搬し、次のノードに伝送される。
ここで、通過動作時の信号光強度は、位相調整機構ＳＷ１に所望の位相量を与えることにより可変に光減衰を与えられ、他の波長の信号光とのレベル調整が可能となる。
【００２３】
ここで、可変光減衰動作において、入射する信号光と出射する信号光の経路が反射による折り返しの効果により同じとなり、かつ、１／４波長板５を二回通過することにより１／２波長板を一回通過することと等価となり、その結果、偏波面が９０度異なる入射光と出射光が同一の導波路を伝搬するため、本質的に偏波依存性が解消される。
【００２４】
特に、１／４波長板５を有する反射型光回路の効果は、従来から提唱されている光処理回路の中心に１／２波長板を配置する透通型構成の場合と比較すると顕著である。
つまり、光処理回路にＰＤＬ（Ｐｏｌａｒｉｚａｔｉｏｎ  Ｄｅｐｅｎｄｅｎｔ  Ｌｏｓｓ  ；偏波依存性損失）ゆらぎがある場合、透過型構成では１／２波長板の前後でＰＤＬが異なる結果、光処理回路としてＰＤＬが生じる。
特に、本実施例における平面型光導波回路Ａは、反射型光回路であるため、光処理回路にＰＤＬのゆらぎがあったとしても、入射光と反射光は同じ導波路を伝搬することから、本質的に偏波依存性が解消されることとなり、完全無偏波可変光減衰動作が可能となる。
【００２５】
アド／ドロップ動作時においては、平面型光導波回路Ａの位相調整機構ＳＷ１を調整し、２×２スイッチの経路をＩ／ＯポートＩに斜めに向き合う出力導波路にパスがつながるクロスステートに固定する。
すると、Ｎ波に多重された信号光はサーキュレータ３を通過し、１×Ｎ合分波器４に伝搬し、１×Ｎ合分波器４により分波された後、マッハツェンダ干渉計のＩ／ＯポートＩに入射し、クロスポートにある出力導波路に伝播し、１×２光分岐回路７で分岐されドロップポートＩＩＩを経由して光受信器９により受信される。
【００２６】
ここで、平面型光導波回路Ａのスルーポートに漏れたドロップ光は、高反射ミラー６により折り返され、クロスポートである捨てポートに伝搬することから、Ｉ／ＯポートＩには高い消光比で阻止される。
つまり、ドロップ光はダブルゲートであるマッハツェンダ干渉計型２×２スイッチ回路を伝搬することと等価となり、高い消光比でアド光と混信するのを防いでいる。
【００２７】
一方、アド光は、光送信器８で生成され、アドポートＩＩを経由して光分岐部７で合波されクロスステートにある２×２スイッチに入射し、Ｉ／ＯポートＩから取り出され、１×Ｎ合分波器４により他の波長の信号光と合波され、サーキュレータ３により出力用光ファイバ１０に伝搬し、次のノードに伝送される。
【００２８】
更に、本実施例では、Ｉ／ＯポートＩにモニターポートＶＩを付加することにより、主信号の光強度に悪影響を及ぼすことなく弱い信号光を抜き出し、モニターポートからの信号光強度を測定し、光減衰量を決定することが可能となる。
特に、モニタポートＶＩからの信号光を用いて光減衰量をフィードバック制御することは有効である。
【００２９】
このように説明したように、本実施例の光処理回路の構成によれば、従来のＯＡＤＭノードの１×Ｎ合分波器を一段に減らし、かつ、２×２スイッチ部と光減衰器部を一段のマッハツェンダ干渉計とすることができ、装置の小型化を効果的にもたらすことができる。
【００３０】
さらに、上述したように、本実施例の光処理回路は、高消光比であるアド／ドロップ動作を実現する光スイッチ機能と、通過動作時の信号光強度をＰＤＬやＰＤＬのゆらぎに関係なく偏波無依存で調整する完全編波無依存である光減衰機能を兼ねており、ＯＡＤＭノードのアド／ドロップ用２×２スイッチ２１と光減衰器２２の部分を小型に構成する光部品を実現するうえで極めて有効である。
【００３１】
尚、上述した実施例ではマッハツェンダ干渉計型２×２スイッチをスルーステートに設定することで信号光通過動作、クロスステートに設定することでアド／ドロップ動作としているが、この関係を逆転し、クロスステートに設定することで信号光通過動作、スルーステートに設定することでアド／ドロップ動作としても同様な効果が得られることは明らかである。
【００３２】
〔実施例２〕
本発明の第２の実施例を図２に示す。
本実施例は、光増幅器の利得等化フィルタとして光処理回路を用いるものである。
本実施例が実施例１と大きく異なる点は、反射作用による高消光比ダブルゲートスイッチ機能を省いたことであり、波長毎の偏波無依存なレベル調整機能を活用している。
即ち、この光処理回路は、一個のサーキュレータ１３と、一個の１×Ｎ合分波器１４と、Ｎ個の平面型光導波回路（光処理回路）Ａとから構成される。
光サーキュレータ１３は、入力用光ファイバ１２、出力用光ファイバ１７に接続されると共に１×Ｎ合分波回路部１４の一入力ポートに接続されている。
１×Ｎ合分波回路部１４は、そのＮ個の出力ポートがＮ個の平面型光導波回路Ａの一入力ポートと接続されている。
平面型光導波回路Ａは、１／４波長板１５、高反射ミラー１６を具備するマッハツェンダ干渉計型２×２スイッチにより構成される反射型光回路である。
即ち、この平面型光導波回路Ａは、二本の入力導波路、二組の３ｄＢ合分波回路部、二本のアーム導波路部、アーム導波路部に具備される位相調整部ＳＷ２、二本の出力導波路よりなるマッハツェンダ干渉計型２×２スイッチ回路において、マッハツェンダ干渉計型２×２スイッチ回路の一方の入力導波路を入力ポートに接続し、一方の出力導波路の前段に１／４波長板１５を配置し後段に高反射ミラー１６を配置して構成されたものである。
尚、本実施例では、プリアンプ、ポストアンプが省略されているが、例えば、実施例１と同様に光増幅器の出力光を入力しても良い。
【００３３】
上記構成を有する本実施例の光処理回路をＯＡＤＭリングシステムに用いる場合の動作を説明する。
ＥＤＦＡ等の光増幅器により増幅された波長多重光がサーキュレータ１３に入射すると、信号光は１×Ｎ合分波器１４により分波され、平面型光導波回路Ａに入射する。
平面型光導波回路Ａでは、実施例１における信号光通過動作と同様の原理で信号光のレベル調整が行われる。
即ち、信号光強度は、位相調整機構ＳＷ２に所望の位相量を与えることにより可変に光減衰を与えられ、他の波長の信号光とのレベル調整が可能となる。
【００３４】
つまり、本実施例の平面型光導波回路Ａは、従来のエタロン型フィルタと異なり、分波された各々の信号光をチャンネル間の相関なくレベル設定することが容易であるため、ＥＤＦＡのもつ複雑な利得スペクトル形状に起因する波長間の信号光強度ばらつきを、波長無依存な信号光強度に変換できる。
【００３５】
しかも、利得等化動作において、入射する信号光と出射する信号光の経路が反射による折り返しの効果により同じとなり、かつ、１／４波長板１５を二回通過することにより１／２波長板を一回通過することと等価となり、その結果、偏波面が９０度異なる入射光と出射光が同一の導波路を伝搬するため、光処理回路にＰＤＬ及びＰＤＬのゆらぎに関わらず、本質的に偏波依存性が解消される。
【００３６】
なお、実施例１と同様、Ｉ／ＯポートＩにモニターポートＶＩを付加することにより、モニターポートＶＩからの信号光強度を測定して光減衰量を決定することや、モニタポートＶＩからの信号光を用いて光減衰量をフィードバック制御することは有効である。
また、実施例１と同様、クロスステートとスルーステートの関係を逆転しても同様な効果が得られることは明らかである。
【００３７】
このように説明したように、本実施例の光処理回路は、波長毎に任意のレベル調整が可能であり、かつ、レベル調整が完全編波無依存であることから、小型な利得等化器を実現するうえで極めて有効である。
【００３８】
また、光処理回路を低損失な石英系光回路で構成することは有効であるが、他に、例えば、ＬｉＮｂＯ３、高分子、半導体を用いた光導波路を用いても同様な効果が得られる。
更に、石英系光導波路においては、位相調整機構として熱光学ヒータが有用であるが、これは、石英系光導波路の位相を高精度に調整できるためであり、他の位相調整手段、例えば、ハイブリッドの手法によりＬｉＮｂＯ３結晶を位相調整部に搭載し、電極を設けて電気光学効果により位相調整しても良い。
【００３９】
本発明の光処理回路に用いるマッハツェンダ干渉計型２×２スイッチ回路は対称マッハツェンダと非対称マッハツェンダのいずれでも構成できる。
更に、マッハツェンダ干渉計を構成する３ｄＢ合分波器として方向性結合器を用いることができる他、３ｄＢ合分波器として機能する光処理回路であれば他の光処理回路も適用可能であり、例えば、作製誤差に対し結合率の変化が小さいＭＭＩカップラは好適である。
【００４０】
さらに、１／４波長板１５と高反射ミラー１６は一枚の薄膜上に形成して導波路端面に接着しても良いし、導波路に溝を形成して挿入しても良いし、さらには、１／４波長板と高反射ミラーを別々に導波路の溝に挿入する方法でも良い。
【００４１】
また、１×Ｎ合分波器１４としてアレー導波路型回折格子を用いることは好適である。
これは、アレー導波路型回折格子がマッハツエンダ干渉計型２×２スイッチ回路と集積化するのに都合が良いからであり、反射型マッハツェンダ干渉計回路と１×Ｎ合分波器を個別の部品から構成する場合は、１×Ｎ合分波器として自己保持式ファイバ型スイッチ等他のスイッチを用いることもできる。
【００４２】
さらに、ここでは反射型マッハツェンダ干渉計回路と１×Ｎ合分波器を個別の部品から構成したが、これは個別に製造して接続する方が個別部品の特性を選択できる点でメリットがあるからであり、反射型マッハツェンダ干渉計回路とアレー導波路型回折格子を同一の基板上に集積化することは装置を小型化するうえで好ましい。
【００４３】
【発明の効果】
以上、実施例に基づいて具体的に説明したように、本発明は、回路サイズを最小限にとどめる回路構成であり、高い消光比でスイッチ動作し、かつ、偏波依存性のない光減衰動作することを兼ね備えた光処理回路である。さらに、本発明の光処理回路は従来の光導波路製造技術を用いて容易に製造することができる。従って、本発明の光処理回路はＯＡＤＭノードや利得等化器を小型化する手段として非常に有用である。
【図面の簡単な説明】
【図１】本発明の第１の実施例に係る光処理回路をＯＡＤＭノードに適用した場合の平面回路図である。
【図２】本発明の第２の実施例に係る光処理回路を光増幅器利得等化フィルタに適用した場合の平面回路図である。
【図３】従来のＯＡＤＭノードとＯＡＤＭに用いられる光処理部を説明するブロック図である。
【符号の説明】
１，１９  プリアンプ
２，１２，１８  入力用光ファイバ
３，１３  サーキュレータ
４，１４，２０，２３  １×Ｎ合分波器
５，１５  １／４波長板
６，１６  高反射ミラー
７  光分岐部
８  光送信器
９  光受信器
１０，１７，２５  出力用光ファイバ
１１，２４  ポストアンプ
２１  ２×２スイッチ
２２  光減衰器
ＳＷ１，ＳＷ２  スイッチング用の位相調整機構
Ｉ  Ｉ／Ｏポート
ＩＩ  アドポート
ＩＩＩ  ドロップポート
ＩＶ  メインインプットポート
Ｖ  メインアウトプットポート
ＶＩ  モニタポート
Ａ  光処理回路
Ｂ  光処理部
【図１】
0003558199.tif 000002
【図２】
0003558199.tif 000003
【図３】
0003558199.tif 000004